(57)【特許請求の範囲】
【請求項１】
柔軟発泡弾性体の板の下面に突起物を配設することで前記板を床から浮設し、前記板を挟んで反対側である前記板の上面に下面とほぼ同様の突起物を設け、当該板を床から浮設することと前記板の上面と下面を結んで貫通し孔の上端と下端が外気に解放される通気孔を多数設けることを通気手段とした人が上に乗ることのできる台であって、前記台に吸水体の端部を掛止するための掛止手段を設けて、前記台の表面を前記吸水体により着脱可能に被覆し固定することで、前記吸水体の乾燥を速め、前記被覆した吸水体が薄いものであっても使用に伴って前記吸水体が変形し乱れることを防止できるようにした吸水マット用基板。
【請求項２】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部に断面がコの字形に開口する溝状取り付け具を設け吸水体を挟持して掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板。
【請求項３】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部にトゲ状突起物を有する弾性板を断面コの字形に形成し前記板を挟持させた掛止手段を設け、前記トゲ状体が吸水体の繊維にかかって掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板。
【請求項４】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部両側面にコの字形の棒状体の先端を内側に曲折させ食い込ませて掛止手段とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板。
【請求項５】
請求項１か２か３か４のいずれかに記載した吸水マット用基板に吸水体を着脱可能に被覆してなる吸水マット。
【発明の詳細な説明】
【技術分野】
【０００１】
本発明は台所あるいは浴室の脱衣所等の床に置いて水滴の吸収に用いる吸水マットに関するものである。薄い吸水体であっても安定した形状を保つことが出来ると共に、吸水体の乾きが速く、吸水体の取り付けや交換が容易であるところの、吸水マットを構成するための吸水マット用基盤、及び前記吸水マット用基板に吸水体を被覆してなる吸水マットに関するものである。
【背景技術】
【０００２】
従来、台所や浴室の脱衣場に置く吸水マットは高い吸水力を得るために厚手の織物等が使用されてきた。構造上、厚く堅いことから洗濯機を使った洗濯は無理であった。洗濯のしやすさや経済的理由から中厚手のタオルもマット用として市販されているが、台所の足下マットとして使用した場合には厚さが足らないことから、作業中に蹴られて折れ曲がり、形状を一定に保つことが難しいものであった。一方、ゴム材等を基盤とした植毛パレットあるいは布張りパレットなどが台所用の足下マットとして市販されているが、吸水力も低く、洗浄も面倒であった。
【０００３】
【特許文献１】特許３４８１９３２号          特許３４８１９３２号に記載された発明は前記課題を解決するためになされたものであり、有効なものである。しかし、ここで使用する「弾性を有して人が上に乗ることのできる台」は素材の幅が広く、例として想定した古タイヤからの再生ゴムは重量があり、状況によっては使いにくい面も有ることから本願発明は「弾性を有して人が上に乗ることのできる台」を「柔軟発泡弾性体」に限定し、更に改善を加えたものである。
【０００４】
特許３４８１９３２号に記載された発明では吸水マット用基板の基本的性格を「通気手段を有し」、としているが漠然としているため、本願発明では当該通気手段を「当該板を床から浮設することと上面と下面を結んで貫通する通気孔を設ける」としている。
また、特許３４８１９３２号に記載された発明では「弾性を有して人が上に乗ることのできる台」への吸水体の掛止の仕方が「穴の内壁に突起物を設けるか、穴の幅を狭めて」掛止可能としているが、掛止の方法は様々に可能であるため、本願発明では穴と類似する切れ込みや押さえ具やトゲ状突起によるものを加えている。
【０００５】
【特許文献２】実開昭６３−６５４３６          実開昭６３−６５４３６に記載された考案では「独立気泡構造の発泡合成板・・・」を「吸水体の布帛で・・・」で「開閉可能に包被されている」が本願発明では「板の下面に突起物を配設することで前記板を床から浮設し」、「台の表面を前記吸水体により着脱可能に被覆し固定」しており構成が異なる。また、本願発明は「上面と下面を結んで貫通する通気孔」を設けて通気手段としているが、前記考案には板を床から浮設する等の床面とマットとの間に通気手段を有しておらず、上面と下面を貫通する穴も有していないため本願発明と実開昭６３−６５４３６に記載された考案では乾燥速度に差が生じる。
【０００６】
【特許文献３】実開昭６０−１４７３６１          実開昭６０−１４７３６１では「板体周縁の堤縁に、前記へこみから板体周縁外へ連通する通気孔を」形成しているが、本願発明のように上面と下面を結んで貫通する通気孔を有していないため、本願発明と実開昭６０−１４７３６１記載された考案では吸水体の乾燥速度に差が生じる。
【０００７】
【特許文献４】実開昭５８−７４８８４          実開昭５８−７４８８４には「通気孔を多数個透設してある弾性を有する合成樹脂クッション材の上に麻フェルトを積層取着してなるカーペット用アンダークッション」の考案が示されているが、本願発明のように床から浮設することことで通気性を高め濡れた吸水体の乾燥を早めることや、台もしくは当該台上に形成可能な仮想小面積形の端部に吸水体の端部を掛止するための掛止手段を設けることで吸水体の交換を容易にすることや、吸水体が薄いものであっても使用に伴って前記吸水体が変形し乱れることを防止できるようにしたものとする本願発明とは目的が異なり、構成、作用、効果が異なるものである。
【発明の開示】
【発明が解決しようとする課題】
【０００８】
特許３４８１９３２号に記載された発明に於ける素材を「柔軟発泡弾性体」に限定して改善し、薄い吸水体の形状を安定させて使用するための吸水マット用基板、吸水した吸水体の乾きが速い吸水マット用基板、無造作に扱っても床を傷つけることのない吸水マット用基板、及び、前記の吸水マット用基板に吸水体を被覆してなり吸水体の交換が容易である吸水マットを供すること。
【課題を解決するための手段】
【０００９】
柔軟発泡弾性体の板の下面に突起物を配設することで前記板を床から浮設し、前記板を挟んで反対側である前記板の上面に下面とほぼ同様の突起物を設け、当該板を床から浮設することと前記板の上面と下面を結んで貫通し孔の上端と下端が外気に解放される通気孔を多数設けることを通気手段とした人が上に乗ることのできる台であって、前記台に吸水体の端部を掛止するための掛止手段を設けて、前記台の表面を前記吸水体により着脱可能に被覆し固定することで、前記吸水体の乾燥を速め、前記被覆した吸水体が薄いものであっても使用に伴って前記吸水体が変形し乱れることを防止できるようにした吸水マット用基板を供する。
【００１０】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部に断面がコの字形に開口する溝状取り付け具を設け吸水体を挟持して掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板を供する。
【００１１】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部にトゲ状突起物を有する弾性板を断面コの字形に形成し前記板を挟持させた掛止手段を設け、前記トゲ状体が吸水体の繊維にかかって掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板を供する。
【００１２】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部両側面にコの字形の棒状体の先端を内側に曲折させ食い込ませて振動自在な掛止手段とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板を供する
【００１３】
吸水マット用基板に吸水体を着脱可能に被覆してなる吸水マットを供する。
【発明の効果】
【００１４】
本発明は柔軟発泡弾性体の板の下面に突起物を配設することで前記板を床から浮設し、前記板を挟んで反対側である前記板の上面に下面とほぼ同様の突起物を設け、当該板を床から浮設することと前記板の上面と下面を結んで貫通し孔の上端と下端が外気に解放される通気孔を多数設けることを通気手段とした人が上に乗ることのできる台であって、前記台に吸水体の端部を掛止するための掛止手段を設けて、前記台の表面を前記吸水体により着脱可能に被覆し固定することで、前記吸水体の乾燥を速め、前記被覆した吸水体が薄いものであっても使用に伴って前記吸水体が変形し乱れることを防止できるようにした吸水マット用基板であるため次の効果を奏する。
【００１５】
吸水体が薄いものであっても安定した形状が保てる。薄手の吸水体を使えることから吸水体の洗濯が容易となる。通気手段を有することから使用中に水を吸っても乾きが速く、床への接地面積が少ないことから湿度を床材に閉じこめることがない。また、前記板の上面と下面がほぼ同じ機能を有することから、前記板の上面下面を意識することなく使用でき、取り扱いが簡便になる。また前記板の使用可能時間も伸ばすことが出来る。吸水マット用基板は柔軟発泡弾性体であることから、床を傷つけることなく無造作に扱うことが出来、製造コストも低くできる。
【００１６】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部に断面がコの字形に開口する溝状取り付け具を設け吸水体を挟持して掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板であるため次の効果を奏する。
【００１７】
断面がコの字形に開口する溝状取り付け具を設けたことから吸水体の着脱が容易となる。
【００１８】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部にトゲ状突起物を有する弾性板を断面コの字形に形成し前記板を挟持させた掛止手段を設け、前記トゲ状体が吸水体の繊維にかかって掛止可能とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板であるため次の効果を奏する。
【００１９】
簡単な構造の掛止手段が作成でき、前記吸水体の端部を前記とげ状突起物に押しつけるだけで吸水体を掛止できる使い勝手の良い吸水マット用基板が作成できる。
【００２０】
柔軟発泡弾性体の板の下面に突起物を配設することで前記板を床から浮設し、当該板を床から浮設することと上面と下面を結んで貫通し孔の上端と下端が外気に解放される通気孔を多数設けることを通気手段とした人が上に乗ることのできる台であって、前記台の端部両側面にコの字形の棒状体の先端を内側に曲折させ食い込ませて掛止手段とし、前記吸水体により前記台の表面を着脱可能に被覆し固定することで、前記吸水体の乾燥を速め、前記被覆した吸水体が薄いものであっても使用に伴って前記吸水体が変形し乱れることを防止できるようにした吸水マット用基板であるため次の効果を奏する。
【００２１】
前記台の端部両側面にコの字形の棒状体の先端を内側に曲折させ食い込ませて簡単な構造の掛止手段が作成でき、弾力手段を特別に用意することなく、前記台の有する弾力によって吸水体を押さえつけることのできる使い勝手の良い吸水マット用基板が作成できる。
【００２２】
吸水マット用基板に吸水体を着脱可能に被覆してなる吸水マットであるため次の効果を奏する。
【００２３】
吸水体が薄手のものであっても、使用に伴って前記吸水体が変形し乱れることを防止できマットの形状が安定した使い勝手の良い吸水マットが得られる。薄手の吸水体を使えることから洗濯が容易となる。吸水マット用基板は柔軟発泡弾性体であることから、床を傷つけることなく無造作に扱うことが出来る。通気手段を有することから使用中に水を吸っても乾きが速い。
【発明を実施するための最良の形態】
【００２４】
発明の実施の形態について図を用いて説明する。
【実施例１】
【００２５】
図１は実施形態１の全体の形状を示す斜視図である。柔軟発泡弾性体の板１の下面に突起物２を配設することで前記柔軟発泡弾性体の板１を床から浮設し、当該柔軟発泡弾性体の板１を床から浮設することと前記板１の上面１１（１）と下面１２（１）を結んで貫通する通気孔３を設けることを通気手段とした、人が上に乗ることのできる台であって、当該台上に形成可能な仮想小面積形の端部に吸水体の端部４１を掛止するための掛止手段５を設けて吸水体４の端部４１を掛止し、前記台上に吸水体４を着脱可能に被覆し固定することで、前記被覆した吸水体４が薄いものであっても、人が上に載って作業をしたり足を拭いたりという使用に伴って、前記吸水体４が変形し乱れることを防止できるようにした吸水マット用基板である。
【００２６】
図２に於ける図Ａは実施形態１の図１に於けるＸＸ線上の断面を含む部分拡大図であり、前記掛止手段５を係止用の穴５１もしくは係止用の切れ込み５２とした例である。柔軟発泡弾性体の板１に突起物２を配設することで前記板１を床から浮いた状態にすることで、前記板１と床の間に湿気がこもらないようにする。また、前記板１の上面１１と下面１２を結んで通気孔３を貫通させ、通気性を持たせ、吸水体４の乾燥を早めるようにする。前記板１の素材を柔軟発泡弾性体に限定したことから、重量が軽く、手触りが柔らかい等の特徴が発揮され、また、寒い時でも冷たさを感じさせない。軽量であることから扱いやすく、様々な形状に成形が可能であり、低いコストで製造できる。適度の弾力を得やすく、係止用の穴５１もしくは係止用の切れ込み５２に吸水体４を押し込むことで容易に掛止することが出来る。
【実施例２】
【００２７】
図２に於ける図Ｂは実施形態２の一部断面を含む斜視図であり、前記掛止手段５を前記柔軟発泡弾性体の板１の側端部に平行して設けられた係止用の溝状体５３とした例である。溝状体５３は前記柔軟発泡弾性体の板１の側端部を切り欠いて溝を形成する他様々に形成可能であり、本図では図Ｂの如く、前記柔軟発泡弾性体の板１の側端の一部を切り欠き、溝形成用の板５３１を前記柔軟発泡弾性体の板１の平面部に張り付けて実質的に溝状体５３を形成したものを表示している。図Ｃはコの字状に形成した溝状取り付け具の断面図である。本願発明に於ける係止用の切れ込みには、前記溝状取り付け具５３２を前記柔軟発泡弾性体の板１の側面に取り付け、吸水体を掛止可能にしたもの等を含むものとする。
【実施例３】
【００２８】
図３は実施形態３の一部断面を含む斜視図である。前記柔軟発泡弾性体の板１の上面１１と下面１２のそれぞれに突起物２を多数配設することで、前記柔軟発泡弾性体の板１を中空に浮かした状態を作り、前記板１と床の間に湿気がこもらないようにするとともに、吸水体４を前記板１から浮かせるとともに前記板１の突起物２と突起物２の間である突起物が配されていない位置に前記板１の上面１１と下面１２を結んで貫通する通気孔３を多数配することで吸水体４周辺の通気性を高め吸水体４の乾燥を速めるようにしたものである。
【００２９】
また、上面と下面の形状を同一にすることも可能であり、その場合、吸水体の取り付けに当たり台の裏表について気に掛ける必要がなくなり、取り付け時の取り扱いが簡単になる。また、素材が柔軟発泡弾性体であることから気泡を含まない素材よりは耐久性が劣り、同一箇所に立っての作業では前記板１の一部分のみが劣化する。裏と表の入れ替えが可能であることから交互に使うことで寿命を２倍近く伸ばすことが可能となる。素材が柔軟発泡弾性体であることから人が上に載って、足を移動するたびに載った部分がへこんで周辺の空気を押し出し、足を移動させたことによる形状の復元に伴い空気が呼び込まれ、空気の流通を促進して吸水体４の乾燥を速める。
【実施例４】
【００３０】
図４は実施形態４の一部断面を含む斜視図であり、実施形態２に於ける前記柔軟発泡弾性体の板１の上面１１の一部を盛り上げて山状体６を形成したものの一例である。前記山状体６を形成してあることから、上に載って作業をする場合に足を移動するたびに足裏、特に土踏まずが刺激され血行を促進する。前記板１の素材が柔軟発泡弾性体であることから、刺激が軟らかく心地よい感触で比較的長時間使用した場合でも健康上の無理が生じない。製造にあたっては製造工程、コスト等が実施形態２とさほど大きな差となって現れず、比較的を廉価にて商品を提供できる。
【実施例５】
【００３１】
図５に於ける図Ａは実施形態５の斜視図であり、掛止手段としてトゲ状突起物を使用したものの一例である。吸水マット用基板としての基本的な構成は実施形態１ないし３に記載したものと同様であるが、吸水体に対応する大きさの前記台もしくは当該台上に形成可能な仮想小面積形の端部に掛止手段としてトゲ状の突起物５４１を有するトゲ状掛止手段５４を設けたものである。当該トゲ状突起物５４１は鉤状であっても効果は同様であり、商品名であるマジックテープの類を含む鉤状突起物もこれに該当するものとする。また、前記鉤状体を吸水体の側に取り付けて発泡弾性体の板１に係止できるようにしたものを含むものとする。
【００３２】
図５に於ける図Ｂは前記トゲ状掛止手段５４の斜視図であり、弾性を有する板５４２をコの字状に形成し、前記発泡弾性体の板１を挟んで接合できるようにしたものである。前記発泡弾性体の板１に前記トゲ状掛止手段５４を接合した状体の側面もしくは下面に当たる位置に前記トゲ状の突起物５４１を形成する。接合の手段は接着、嵌合、切れ込みを作って挿入する等可能なすべての方法を含むものとする。素材も前記吸水体４を掛止可能にするものであれば、金属、合成樹脂、硬質繊維等、可能なすべてを含むものとする。  
【実施例６】
【００３３】
図６は実施形態６の斜視図であり、掛止手段５として吸水体４の端部を押さえて掛止する押さえ具５５としたものの一例である。押さえ具５５は前記発泡弾性体の板１に前記吸水体４を押さえつけて固定できるものであればどのような形状でも可能である。本図はコの字形の棒状体５５１の先端を内側に曲折させ、前記発泡弾性体の板１に食い込ませた例を示したものである。前記発泡弾性体の板１が弾力を有することから別に弾力手段を用いることなく前記吸水体４の端部を押さえつけ、使用に伴って吸水体４が移動、変形することを防げる。前記発泡弾性体の板１の、棒状体５５１が食い込む位置に硬質材による管等の補強材５５２を配設することが可能であり、その場合、耐久性を高めることができる。
【００３４】
図７に於ける図Ａは実施形態７の斜視図であり、図Ｂは押さえ具の拡大図である。本実施例では押さえ具５５として押さえ板５５３を用いており、当該押さえ板５５３は一方の側端部をバネ機能を有する接合部５５４に嵌合することで反対側側端部が振動可能に連結され、取り付け部５５５によって前記発泡弾性体の板１に固定される。前記押さえ板５５３の振動可能な側端部を上に上げると、前記押さえ板５５３の接合部５５４に嵌合された側の端部に設けられた下のこぶ状突起５５３２が上のこぶ状突起５５３１を支点にして、接合部５５４の下端に設けられた第１の凹部５５４１から第２の凹部５５４２に移動しバネの力で固定される。前記吸水体４を前記発泡弾性体の板１上に載せ、前記押さえ板５５３の連結されていない側端を下に下げると前記下のこぶ状突起５５３２が前記第２の凹部５５４２から第１の凹部５５４１に移動し固定され、同時に吸水体４の端部を前記発泡弾性体の板１に押さえつけてバネの力で固定する。
【図面の簡単な説明】
【００３５】
【図１】実施形態１の全体の形状を示す斜視図である。
【図２】図Ａ  実施形態１の図１に於けるＸＸ線上の断面を含む部分拡大図である。                    図Ｂ  実施形態２の一部断面を含む斜視図である。                    図Ｃ  溝状取り付け具の断面図である。
【図３】実施形態３の一部断面を含む斜視図である。
【図４】実施形態４の一部断面を含む斜視図である。
【図５】図Ａ  実施形態５の斜視図である。                    図Ｂ  トゲ状掛止手段の斜視図である。
【図６】実施形態６の斜視図である。
【図７】図Ａ  実施形態７の一部断面を含む斜視図である。                    図Ｂ  押さえ具の拡大図である。
【符号の説明】
【００３６】
１  柔軟発泡弾性体の板
１１  板の上面
１２  板の下面
２  突起物
３  通気孔
４  吸水体
４１  吸水体の端部
５  掛止手段
５１  係止用の穴
５２  係止用の切れ込み
５３  係止用の溝状体
５３１  溝形成用の板
５３２  溝状取り付け具
５４  トゲ状掛止手段
５４１  トゲ状の突起物
５４２  弾性を有する板
５５  押さえ具
５５１  コの字形の棒状体
５５２  補強材
５５３  押さえ板
５５３１  上のこぶ状突起
５５３２  下のこぶ状突起
５５４  接合部
５５４１  第１の凹部
５５４２  第２の凹部
５５５  取り付け部
６  山状体
【要約】
【課題】  特許３４８１９３２号に於ける素材を「柔軟発泡弾性体」に限定して改善し、薄い吸水体の形状を安定させて使用でき、吸水した吸水体の乾きが速く、無造作に扱っても床を傷つけることがない吸水マット用基板、及び、前記の吸水マット用基板に吸水体を被覆してなる吸水マットを供すること。
【解決手段】  柔軟発泡弾性体の板の下面に突起物を配設することで前記板を床から浮設し、上面と下面を結んで貫通する通気孔を設けることを通気手段とした、人が上に乗ることのできる台であって、前記台もしくは当該台上に形成可能な仮想小面積形の端部に吸水体の端部を掛止するための掛止手段を設けて、前記台の表面を前記吸水体により着脱可能に被覆し固定することで、前記被覆した吸水体が薄いものであっても使用に伴って前記吸水体が変形し乱れることを防止できるようにした吸水マット用基板を供する。
【選択図】        図１
【図１】
0003564667.tif 000002
【図２】
0003564667.tif 000003
【図３】
0003564667.tif 000004
【図４】
0003564667.tif 000005
【図５】
0003564667.tif 000006
【図６】
0003564667.tif 000007
【図７】
0003564667.tif 000008